(57)【要約】【課題】ガラス流制御管をその回転軸線に対して心出しする方法及び装置を提供する。【解決手段】本発明による装置は、ガラス製品形成装置の管支持フレーム（２０）上に配置された回転可能なガラス流制御管（１４）の回転軸線に対するこのガラス流制御管（１４）の同心性を示す装置（３０）である。この装置（３０）は、管支持フレーム（２０）に固着されたベース（３４，３６）と、ガラス流制御管（１４）に近づいたりそれから遠ざかったりするようにベース（３４，３６）に取付けられたスライド（６６）とを含む。ガラス流制御管（１４）の外面に転がり係合するローラ（６８）がスライド（６６）に配置される。ガラス流制御管（１４）が管支持フレーム（２０）の上で回転するときのスライド（６６）の半径方向の移動を指示する指示器（７４，７６）がスライド（６６）に連結される。【選択図】　　　図２
2004002192.tif 000002
【特許請求の範囲】
【請求項１】
ガラス製品形成装置の管支持フレーム（２０）上に配置されたの回転可能なガラス流制御管（１４）の回転軸線に対するこのガラス流制御管（１４）の同心性を指示する装置であって、
管支持フレーム上に固着されるベース（３４、３６）と、
前記管支持フレームに取付けられたガラス流制御管の外面に半径方向に近づいたりそれから離れたりするように前記ベースに取付けられたスライド（６６）と、
前記ガラス流制御管が前記管支持フレーム上で回転するときに前記ガラス流制御管の外面と転がり係合するように前記スライドに取付けられたローラ（６８）と、
前記スライドの半径方向移動を指示するために前記スライドに連結された指示器（７４、７６）と、を含み、前記スライドの半径方向移動は、前記ガラス流制御管が前記管支持フレーム上で回転するときの前記ガラス流制御管の回転軸線に対する前記ガラス制御管の外面の半径方向移動を示していることを特徴とする装置。
【請求項２】
更に、前記スライド及び前記ローラを前記ガラス流制御管の外面に押付けるように半径方向に付勢するためのばね（９０）を含み、このばねは、前記ベースに連結される、請求項１に記載の装置。
【請求項３】
更に、前記ガラス流制御管をその回転軸線上に心出しするために、前記ローラを前記ガラス流制御管の外面に係合させた状態で前記スライドを半径方向内向きに移動させるための手段（８０乃至８８）を含む、請求項２に記載の装置。
【請求項４】
前記スライドを移動させるための手段は、前記スライドに螺合されたねじシャフト（８２）と、このねじシャフトを回転させるための手段（８６、８８）とを含む、請求項３に記載の装置。
【請求項５】
前記ねじシャフトを回転させるための手段は、使用者が手動操作するためのノブ（８６）を含む、請求項４に記載の装置。
【請求項６】
前記ばね（９０）は、前記ねじシャフト（８２）と前記ベースとの間に圧縮された状態で支持される、請求項４又は請求項５に記載の装置。
【請求項７】
前記ばね（９０）は、前記ねじシャフト（８２）を取り囲むコイルばねを含む、請求項６に記載の装置。
【請求項８】
前記指示器は、前記スライドを前記ベース上に保持することと前記ベースに対する前記スライドの移動の視覚的指示を提供することの両方のためのピン（７４）を含み、このピンは、前記スライドから前記ベースのスロット（７６）を貫いて延びている、請求項２乃至７のいずれか１項に記載の装置。
【請求項９】
前記ベースは、前記管支持フレームに固定される第１のセクション（３４）と、前記スライド、前記ローラ及び前記指示器を前記ガラス流制御管から遠ざかるように前記第１のセクションに対して移動可能である第２のセクション（３６）と、を含む請求項１乃至項８のいずれか１項に記載の装置。
【請求項１０】
前記第１のセクション（３４）は、ピボットピン（５０）を含み、前記第２のセクション（３６）は、前記ピボットピンの上に移動可能に取付けらる、請求項９に記載の装置。
【請求項１１】
更に、前記第２のセクション（３６）を、前記ローラ（６８）が前記ガラス流制御管と係合するように配置された位置で前記第１のセクション（３４）に選択的に係止するために、前記ベース上に取付けられた係止装置（５６）を含む、請求項１０に記載の装置。
【請求項１２】
前記第２のセクション（３６）は、前記第１のセクション（３４）のピボットピン（５０）から取外し可能である、請求項１０又は１１に記載の装置。
【請求項１３】
ガラス製品形成装置の管支持フレーム（２０）上に配置された回転可能なガラス流制御管の回転軸線に対するこのガラス流制御管（１４）の同心性を指示する方法であって、
（ａ）ベース（３４、３６）を管支持フレームの上に取り付ける段階と、
（ｂ）スライド（６６）を、ガラス流制御管の外面と半径方向に係合させるように前記ベース上に配置する段階と、
（ｃ）前記スライドを前記ガラス流制御管の外面に半径方向に係合させるように維持しながら、前記ガラス流制御管を前記管支持フレームに対して回転させる段階と、
（ｄ）前記管支持フレーム上の前記ガラス流制御管の回転軸線に対する前記ガラス流制御管の外面の偏心の指示部を、前記ベースに対する前記スライドの移動の関数として構成する段階と、
を含むことを特徴とする方法。
【請求項１４】
前記段階（ｂ）は、前記スライドを前記ガラス流制御管の外面に押し付けるためのばね（９０）を前記ベース上に配置する段階を含む、請求項１３に記載の方法。
【請求項１５】
更に、
（ｅ）前記ガラス流制御管（１４）を前記管支持フレーム（２０）に固着させるクランプ（２４）を緩め、前記偏心の指示を観察しながら前記スライド（６６）を前記ガラス流制御管に向かって押すことによって、前記管支持フレームに対する前記ガラス流制御管の位置を調節する段階を有する、請求項１４又は１５に記載の方法。
【発明の詳細な説明】
【０００１】
【発明の属する技術分野】
本発明は、ガラス製品の製造に関し、より詳細には、ガラス噴出口即ちスパウト内の回転軸線に対してガラス流制御管を心出しするための方法及び装置に関する。
【０００２】
【従来の技術】
ガラス製品製造の技術及び科学は、典型的には、炉及び前炉から噴出口の１つ又は２以上のオリフィスを通る溶融ガラスの流れに関連する。ガラス流は、オリフィスを通って流れた後、せん断機により切断されて個々の塊即ちゴブになり、このゴブがガラス製品形成機械の個々のセクション及び鋳型に供給される。円筒形のガラス流制御管が噴出口内に配置され、ガラス流制御管は、噴出口から流れるガラスの量を制御するために、ガラス流制御管の下縁と噴出口底部の上面との間の隙間を変化させるように軸線方向に移動可能である。ガラス流制御管はまた、その軸線の周りに回転する。このガラス流制御管は、噴出口オリフィスに流れてその中を通るガラス流を確実に均一な量にするために、ガラス流制御管の軸線がその回転軸線と一致している、又は、できるだけ密接して一致しているように配置されることが重要である。
【０００３】
【発明が解決しようとする課題】
本発明の全般的な目的は、ガラス流制御管の回転軸線に対するガラス流制御管の同心性を測定するための、好ましくは、ガラス流制御管をその回転軸線に対して心出しするのを助けるための方法及び／又は装置を提供することにある。
【０００４】
【課題を解決するための手段】
本発明の現時点の好ましい１つの実施形態の第１の側面によれば、ガラス製品形成装置の管支持フレーム上に配置された回転可能なガラス流制御管の回転軸線に対するこのガラス流制御管の同心性を示す装置が、管支持フレームの上に固定されるベースと、ガラス流制御管の外面に半径方向に近づいたりそれから離れたりするようにベース上に取付けられたスライドとを含む。ガラス流制御管の外面に転がり係合するローラが、スライドに取付けられ、ガラス流制御管が管支持フレームの上で回転しているときにガラス流制御管の回転軸線に対するガラス流制御管の外面の偏心を示すスライドの半径方向の移動を指示するための支持器がスライドに連結される。
【０００５】
本発明の第２の側面によれば、ガラス製品形成装置の管支持フレーム上に配置された回転可能なガラス流制御管の回転軸線に対するこのガラス流制御管の同心性を示すための装置が、ベースを含み、このベースは、管支持フレーム上に固定される第１のセクションと、この第１のセクションの上に移動可能に取付けられた第２のセクションとを有する。スライドが、フレーム上に装着されたガラス流制御管の外面に近づいたり離れたりする軸線方向の移動のために第２のセクションに取付けられ、ガラス流制御管が管支持フレームの上で回転するときにガラス流制御管の外面に転がり係合するローラが、スライドに配置される。スライド及びローラをガラス流制御管の外面に押し付けるばねが、スライドとベースとの間に圧縮されて支持されている。ローラがガラス流制御管の外面と半径方向に係合する位置で装置の第２のセクションを第１のセクションに選択的に係止させる係止装置が、ベース上に解除可能に設けられる。第２のセクションに対するスライドの移動を指示する指示器が、スライドに連結され、このスライドの移動は、ガラス流制御管が管支持フレームの上で回転するときにガラス流制御管の回転軸線に対するガラス流制御管の外面の半径方向の偏心を示している。
【０００６】
本発明の第３の側面によれば、ガラス製品形成装置の管支持フレーム上に配置された回転可能なガラス流制御管の回転軸に対するこのガラス流制御管の同心性を示す方法が、管支持フレーム上にベースを取付ける段階と、スライドをガラス流制御管の外面と半径方向に係合するようにベース上に配置する段階とを含む。スライドをガラス流制御管の外面と半径方向に係合するように維持しながら、ガラス流制御管を管支持フレームに対して回転させる。管支持フレームに対するガラス流制御管の外面の偏心の指示が、ベースに対するスライドの移動の関数として与えられる。
【０００７】
本発明の更なる目的、特徴、及び、利点と共に本発明は、以下の説明、特許請求の範囲、及び、添付図面から最もよく理解されるであろう。
【０００８】
【発明の実施の形態】
図１は、ガラス噴出口１０を図示し、ガラスが炉及び前炉（図示せず）から上記ガラス噴出口１０及び１つ又は２つ以上の噴出口オリフィス１２を通ってガラス製品形成装置の形成装置（図示せず）に流れるようになっている。ガラス流制御管１４が、管保持器１６によって支持されている。管保持器１６は、管支持フレーム２０上の軸受１８によって取付けられている。管保持器１６の上に取付けられた歯車２２は、管保持器１６及びガラス流制御管１４を回転させるためのモータに連結される。ガラス流制御管１４は、一連のクランプ２４及びクランプリング２６によって管保持器１６内に固定されている。かくして、ガラス流制御管１４は、噴出口１０内において、管保持器１６によって決められる軸線の周りに回転する。ガラス流制御管１４はまた、噴出口オリフィス１２を通るガラス流の流量を制御するために、ガラス流制御管１４に対向する噴出口１０の表面に近づいたりそれから遠ざかるようにガラス流制御管１４の軸線方向に移動することができる。１つ又は２つ以上のプランジャ２８がガラス流制御管１４内に配置され、このプランジャ２８は、ガラスが噴出口オリフィス１２を通って流れるのを助け且つガラス流の輪郭を形成するために、プランジャ２８と関連したオリフィスに対して軸線方向に移動可能である。上述のように、ガラス流制御管１４の下端部とそれに対向する噴出口１０の内面との間のガラス流の均一性に維持するために、幾何学的形状が円筒形であるガラス流制御管１４の中央軸線が、管保持器１６及び管支持フレーム２０内のその回転軸線と同心になるようにそれにできるだけ近づけることが重要である。
【０００９】
図示した本発明の例示的であるが現時点の好ましい実施形態によれば、ガラス流制御管１４が回転する時にその外面に係合し且つガラス流制御管１４の回転軸線に対するガラス流制御管１４の同心性（偏心）を指示するための装置３０が、管支持フレーム２０の上に取付けられる。装置３０は、ベースを含み、このベースは、管支持フレーム２０に固着された第１のセクション３４と、この第１のセクション３４に対して移動可能な第２のセクション３６とを有する。第１のセクション３４は、管支持フレーム２０にねじ止めされるか又は他の方法で固着されたパイプ３８又は他の適切な支持体を含む。クランプブロック４０（図２、４及び５参照）が、パイプ３８を取り囲み、クランプブロック４０をパイプ３８に固定するために、クランプブロック４０の割り４２及びこの割り４２を横切ってクランプブロック４０を貫いて延びる一連のねじ４４によってパイプ３８にクランプ止めされている。プレート４６が、ねじ４８によってクランプブロック４０の下面に固着されている。プレート４６は、クランプブロック４０から横方向に延び、ピボットピン５０が、プレート４６から上下方向上向きに突出するようにプレート４６に溶接され、又は、その他の方法でしっかりと固着されている。方向に関する用語「上向き」及び「下向き」等は、説明のために用いており、図１及び図３〜図５に示す組立体の上下の向きに限定するわけではない。第２のベースセクション３６は、支持ブラケット５２を含む。図７及び図８に最もよく示すように、支持ブラケット５２は、ほぼ平坦なベース５４を含む。細長いガイドブロック１００が、ベース５４の一方の縁部に沿って延びている。孔６４がガイドブロック１００を貫いて延び、スロット７６がガイドブロック１００及び孔６４を貫いて横方向に延びている。第２のブロック１０２が、ガイドブロック１００の孔６４と整列した貫通孔８５を有している。第２のブロック１０２は、隙間８４だけガイドブロック１００から離れている。ベース５４の拡張部１０４が、ガイドブロック１００及び第２のブロック１０２から間隔を隔て、上下方向の開口１０６を有している。
【００１０】
支持ブラケット５２のベース５４の開口１０６は、ピボットピン５０の上に旋回可能に受入れられ、その結果、第２のベースセクション３６は、プレート４６及び第１のセクション３４に対してピボットピン５０の軸線周りに旋回可能である。ばね係止装置５６が、支持ブラケット５２のベース５４上に取付けられている。ばね係止装置５６は、第２のベースセクション３６を図示の位置に係止させるために、ばね係止装置（図４）からプレート４６の開口６０の中に延びるプランジャ５８を含み、このプランジャ５８は、ばねで付勢されている。プランジャ５８は、後で説明するように、第２のベースセクション３６を第１のベースセクション３４から遠ざけるように旋回させることを可能にするために、係止ハンドル６２によって選択的に引っ込められる。第２のベースセクション３６はまた、支持ブラケット５２を摺動させてピボットピン５０から抜き取ることにより、第１のベースセクション３４から取り外すことが可能である。スライド６６（図２〜図３Ａ及び図９）が、支持ブラケット５２の孔６４、好ましくは円筒形の孔の中を軸線方向に摺動するように配置されている。
【００１１】
ローラ６８が、ガラス流制御管１４の外面と転がり係合するように、スライド６６の一方の端部の引っ込んだ肩部７２内にねじ７０によって固定されている。ロールピン７４（図２及び図３）が、スライド６６の両側面から、支持ブラケット５２の横方向に整列したスロット７６を通って延びている。ロールピン７４は、スライド６６を支持ブラケット５２上の適所に取外し可能に固着させるだけではなく、スロット７６に隣接したガイドブロック１００の外面上に設けられた目盛り７８（図３）又は他の適切な印と協働して、支持ブラケット５２に対するスライド６６及びローラ６８の移動量を指示するのを助ける。スライド６６の反対側の即ち外側の端部は、雌ねじ付きの開口８０（図３Ａ及び図９）を有し、この開口８０の中に、雄ねじ付きのシャフト８２が螺合可能に収容される。ねじシャフト８２は、支持ブラケット５２上のガイドブロック１００及び第２のブロック１０２間の隙間８４を横切って延び、第２のブロック１０２の貫通孔８５を貫いている。ノブ８６が、ピン８８によってねじシャフト８２の端部に固着されている。コイルばね９０が、第２のブロック１０２の貫通孔８５内でねじシャフト８２を取り囲んでいる。コイルばね９０は、その一方の端部が、貫通孔８５の上に第２のブロック１０２の外部から固着させたばね保持器９２に係合している。コイルばね９０は、その反対側の端部が、ねじシャフト８２を貫いて延びるピン９６に当接している座金９４に係合している。かくして、コイルばね９０は、第２のブロック１０２に固着させたばね保持器９２とねじシャフト８２に固着させたピン９６との間に圧縮された状態で支持されている。コイルばね９０は、ローラ６８をガラス流制御管１４の外面と転がり係合させる方向に、ねじシャフト８２及びスライド６６を弾性的に押す。
【００１２】
管支持フレーム２０に対するガラス流制御管１４の同心性を指示するのに用いる際、第２のセクション３６を第１のベースセクション３４に対して図１〜図３に示すように位置決めする。ノブ８６を回転させ、スライド６６を支持ブラケット５２内で移動させ、ローラ６８をガラス流制御管１４の外面に係合させる。ガラス流制御管１４は、典型的には、セラミック材料で作られ、好ましくは、ローラ６８が係合するための機械加工外面領域を有し、この機械加工された外面領域は、ガラス流制御管１４の中心軸線と同心である。次いで、ガラス流制御管１４を、管支持フレーム２０内で通常の方法で回転させ、スロット７６内のピン７４の位置をオペレータが観察する。ガラス流制御管１４の回転中のピン７４の内向き及び外向きの移動は、ガラス流制御管１４の中心軸線とその回転軸線との間の同心性の欠如（即ち、偏心）を指示し、本体即ち支持部ラケット５２上の印７８は、かかる編心の測定手段を構成する。この偏心を、隙間８４内の座金９４の移動として観察することもできる。次いで、クランプ２４（図１）を緩め、ガラス流制御管１４の位置を管保持器１６内で再調整する。クランプ２４を僅かに緩めてガラス流制御管１４を回転させることによって、手動調節を行うのが良い。ノブ８６を、コイルばね９０が完全に圧縮されて座金９４が支持ブラケット５２の第２のブロック１０２に当接するまで回転させる。ノブ８６及びねじシャフト８２を更に回転させ、ガラス制御管１４を図２及び図３の左方に押圧する。これをガラス制御管１４が回転している間にゆっくり行うと、回転軸線に対するいかなる偏心も、座金９４、ピン９６及びピン７４の揺動運動として見えるようになる。変形例として、ガラス流制御管を直接手で触ることによって、ガラス流制御管１４の位置を調節しても良く、この場合も、かかる調節で同心性が達成されたかどうかを指示するために、ピン７４及び／又は座金９４を観察しながらガラス制御管１４を回転させる。使用後、係止装置５６を解放し、第２のベースセクション３６を、図２のピボットピン５０を中心に時計回りに旋回させ、どける。いったん第２のベースセクション３６を旋回させてどけたら、第２のベースセクション３６を、使用しないときの保管又は別のガラス機械での使用のために、ピボットピン５０から持ち上げることによって、取り外すのが良い。
【００１３】
かくして、上述のすべての目標及び目的を完全に達成する方法及び装置を説明した。多数の変更例及び変形例を説明したけれども、その他の変更例及び変形例が当業者に容易に示唆されるであろう。例えば、図５は、機械加工された下方心だし帯を有するガラス流制御管と関連して使用するためのスペーサブロック９８がクランプブロック４０とプレート４６との間に配置された変更例を示している。印７８に対するピン７４の視覚的観察を、インチ又はセンチメートルのような適切な単位によるガラス流制御管の偏心の測定装置を含む、スライドの移動の読み出し表示を提供する適切な電子装置に接続された電子位置センサに容易に置き換えても良い。同様に、スライドの手動による移動を、自動操作に置き換えても良く、この自動操作においては、スライドの移動をセンサによってモニタし、センサに応答して、制御電子装置及び適切なアクチュエータがスライド及びローラを半径方向内向き又は外向きに移動させる。本発明は、特許請求の範囲の精神及び範囲に該当する全てのこのような変更例及び変形例を含むものである。
【図面の簡単な説明】
【図１】ガラス噴出口、ガラス流制御管、プランジャ、及び本発明の現時点の好ましい実施形態によるガラス流制御管の回転軸線に対するこのガラス流制御管の同心性を測定するための装置を含む構成の正面断面図である。
【図２】図１のガラス流制御管及び本発明による装置の部分的な平面図である。
【図３】図２の線３−３における断面図である。
【図３Ａ】図３の部分３Ａの拡大図である。
【図４】図２の線４−４における側面図である。
【図５】測定部をガラス流制御管から遠ざけるための係止装置の解除を示す、図４と同様の側面図である。
【図６】図１〜図５に示す装置の一部分の底面からみた斜視図である。
【図７】図２〜図６の支持ブラケット５２の平面図である。
【図８】図２〜図６の支持ブラケット５２の側面図である。
【図９】図２〜図３Ａのスライド６６の部分断面図である。
【符号の説明】
１４　ガラス流制御管
１６　管保持器
２０　管支持フレーム
２４　クランプ
３０　装置
３４　第１のベースセクション
３６　第２のベースセクション
５０　ピボットピン
５６　係止装置
６６　スライド
６８　ローラ
７４　ロールピン
７６　スロット
８０　開口
８２　ねじシャフト
８４　隙間
８６　ノブ
８８　ピン
９０　コイルばね
【図１】
2004002192.tif 000003
【図２】
2004002192.tif 000004
【図３】
2004002192.tif 000005
【図３Ａ】
2004002192.tif 000006
【図４】
2004002192.tif 000007
【図５】
2004002192.tif 000008
【図６】
2004002192.tif 000009
【図７】
2004002192.tif 000010
【図８】
2004002192.tif 000011
【図９】
2004002192.tif 000012